【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
所定の実行条件が成立した後、開始条件の成立にもとづいて各々が識別可能な複数種類の識別情報の可変表示を行ない表示結果を導出表示する可変表示装置と、前記開始条件の成立にもとづいて前記表示結果を特定表示結果とするか否かについてその導出表示以前に決定する事前決定手段を備え、前記開始条件が成立することにより可変表示を開始し、該事前決定手段が表示結果を前記特定表示結果とすることを決定したときに前記可変表示装置に前記特定表示結果を導出表示した後に遊技者に有利な特定遊技状態を発生させる遊技機であって、
遊技の進行を制御するとともにコマンドを出力する遊技制御手段と、
前記遊技制御手段からのコマンドにもとづいて前記可変表示装置の表示状態を制御する演出制御手段とを備え、
前記遊技制御手段は、
前記実行条件が成立したときに、該実行条件が成立したことに起因する可変表示の表示結果が前記特定表示結果となるか否かを判定する実行条件成立時判定手段と、
前記実行条件成立時判定手段による判定結果に応じた実行条件成立時コマンドを前記演出制御手段に送信する実行条件成立時コマンド送信手段と、
前記実行条件は成立しているが未だ前記開始条件が成立していない前記実行条件の成立数を保留記憶する保留記憶手段と、
前記保留記憶手段に保留記憶されている成立数を特定するための成立数コマンドを前記演出制御手段に送信する成立数コマンド送信手段と、
前記開始条件が成立したときに、前記事前決定手段による決定結果に応じた開始条件成立時コマンドを前記演出制御手段に送信する開始条件成立時コマンド送信手段とを含み、
前記演出制御手段は、
前記実行条件成立時コマンド送信手段により送信された前記実行条件成立時コマンドにもとづいて前記可変表示の表示結果が前記特定表示結果となる旨の予告を実行するか否かの予告実行判定を行なう予告判定手段と、
前記成立数コマンド送信手段により送信された前記成立数コマンドにもとづいて前記保留記憶手段に記憶されている成立数に対応した保留表示画像を表示する制御を行なうとともに、所定の条件が成立した際に保留表示画像の表示態様を変化させる制御を行なう保留表示制御手段と、
前記開始条件成立時コマンド送信手段により送信された前記開始条件成立時コマンドにもとづいて前記可変表示装置に表示結果を導出表示する導出表示手段とを含み、
前記保留表示制御手段は、
前記予告判定手段により予告を実行する旨の予告実行判定がなされたときに、当該予告実行判定がなされる契機となった前記実行条件成立時コマンドにより特定される判定結果と前記成立数コマンド送信手段により送信された前記成立数コマンドにより特定される成立数とにもとづいて、表示する保留表示画像の表示態様を変化させるパターンを複数種類の変化パターンの中から選択する保留表示変化パターン選択手段と、
前記複数種類の保留表示画像の表示態様のそれぞれに対応する表示データが記憶された保留表示データ記憶手段とを含み、
前記保留表示制御手段は、前記保留表示データ記憶手段に記憶されている表示データのうち、前記保留表示変化パターン選択手段により選択された変化パターンに含まれる保留表示画像の表示態様に対応した表示データを用いて表示制御を行ない、
前記予告として表示される保留表示画像の表示態様は、前記予告として表示された場合に前記特定表示結果が導出表示される可能性の度合いである特定表示結果信頼度が異なる複数種類の表示態様が設けられ、
前記複数種類の変化パターンは、各々、前記予告として表示する保留表示画像の表示態様を、前記特定表示結果信頼度が低い表示態様には変化させず、前記特定表示結果信頼度が高い表示態様に変化させるパターンのみで構成され、
前記予告判定手段は、前記特定遊技状態中において前記実行条件成立時コマンドを受信したときに該実行条件成立時コマンドにもとづく前記予告実行判定を行なわないことを特徴とする、遊技機。
【手続補正２】
【補正対象書類名】明細書
【補正対象項目名】０００１
【補正方法】変更
【補正の内容】
【０００１】
本発明は、パチンコ遊技機などで代表される遊技機に関する。詳しくは、所定の実行条件が成立した後、開始条件の成立にもとづいて各々が識別可能な複数種類の識別情報の可変表示を行ない表示結果を導出表示する可変表示装置と、前記開始条件の成立にもとづいて前記表示結果を特定表示結果とするか否かについてその導出表示以前に決定する事前決定手段を備え、前記開始条件が成立することにより可変表示を開始し、該事前決定手段が表示結果を前記特定表示結果とすることを決定したときに前記可変表示装置に前記特定表示結果を導出表示した後に遊技者に有利な特定遊技状態を発生させる遊技機に関する。
【手続補正３】
【補正対象書類名】明細書
【補正対象項目名】０００２
【補正方法】変更
【補正の内容】
【０００２】
この種の遊技機として従来から一般的に知られているものに、たとえば、パチンコ遊技機のような、所定の実行条件が成立した後、開始条件の成立にもとづいて各々が識別可能な複数種類の識別情報の可変表示を行ない表示結果を導出表示する可変表示装置と、前記開始条件の成立にもとづいて前記表示結果を特定表示結果とするか否かについてその導出表示以前に決定する事前決定手段を備え、前記開始条件が成立することにより可変表示を開始し、該事前決定手段が表示結果を前記特定表示結果とすることを決定したときに前記可変表示装置に前記特定表示結果を導出表示した後に遊技者に有利な特定遊技状態を発生させるものがある。
【手続補正４】
【補正対象書類名】明細書
【補正対象項目名】０００７
【補正方法】変更
【補正の内容】
【０００７】
（１）  所定の実行条件（たとえば、打玉が始動入賞口１４に入賞）が成立した後、開始条件（たとえば、変動パターンコマンドを受信等）の成立にもとづいて各々が識別可能（たとえば、遊技者がそれぞれを区別し認識可能）な複数種類の識別情報（たとえば、数字図柄「１」〜「９」、および、英字図柄「Ａ」〜「Ｃ」等）の可変表示を行ない表示結果を導出表示する可変表示装置（たとえば、可変表示装置８）と、前記開始条件の成立にもとづいて前記表示結果を特定表示結果（たとえば、「７７７」等のゾロ目）とするか否かについてその導出表示以前（たとえば、図柄を確定停止する以前）に決定する事前決定手段（たとえば、図１５のＳＡ０１等参照）を備え、前記開始条件が成立することにより可変表示を開始し、該事前決定手段が表示結果を前記特定表示結果とすることを決定したときに前記可変表示装置に前記特定表示結果を導出表示した後に遊技者に有利な特定遊技状態（たとえば、大当り）を発生させる遊技機（パチンコ遊技機１）であって、
遊技の進行を制御するとともにコマンド（たとえば、表示制御コマンド等）を出力する遊技制御手段（遊技制御基板３１）と、
前記遊技制御手段からのコマンドにもとづいて前記可変表示装置の表示状態を制御する演出制御手段（表示制御基板８０）とを備え、
前記遊技制御手段は、
前記実行条件が成立したときに、該実行条件が成立したことに起因する可変表示の表示結果が前記特定表示結果となるか否かを判定する実行条件成立時判定手段（図１７のＳＣ０１，ＳＣ０５，ＳＣ０６等参照）と、
前記実行条件成立時判定手段による判定結果に応じた実行条件成立時コマンド（たとえば、非確変大当りコマンド，確変大当りコマンド等）を前記演出制御手段に送信する実行条件成立時コマンド送信手段（図１４のＳ１４等参照）と、
前記実行条件は成立しているが未だ前記開始条件が成立していない前記実行条件の成立数（たとえば、保留記憶数）を保留記憶する保留記憶手段（遊技制御基板３１のＲＡＭ５５，図１６のＳＢ０６等参照）と、
前記保留記憶手段に保留記憶されている成立数を特定するための成立数コマンド（たとえば、保留記憶数コマンド等）を前記演出制御手段に送信する成立数コマンド送信手段（図１４のＳ１４等参照）と、
前記開始条件が成立したときに、前記事前決定手段による決定結果に応じた開始条件成立時コマンドを前記演出制御手段に送信する開始条件成立時コマンド送信手段とを含み、
前記演出制御手段は、
前記実行条件成立時コマンド送信手段により送信された前記実行条件成立時コマンドにもとづいて前記可変表示の表示結果が前記特定表示結果となる旨の予告（たとえば、遊技者に報知する、保留予告等）を実行するか否かの予告実行判定を行なう予告判定手段（図２２のＳＨ０８からＳＨ１３等参照）と、
前記成立数コマンド送信手段により送信された前記成立数コマンドにもとづいて前記保留記憶手段に記憶されている成立数に対応した保留表示画像を表示する制御を行なうとともに、所定の条件（たとえば、可変表示の開始条件，一定時間経過，可変表示の実行条件等）が成立した際に保留表示画像の表示態様を変化させる制御を行なう保留表示制御手段（たとえば、図１９のＳＥ０９からＳＥ１７等参照）と、
前記開始条件成立時コマンド送信手段により送信された前記開始条件成立時コマンドにもとづいて前記可変表示装置に表示結果を導出表示する導出表示手段とを含み、
前記保留表示制御手段は、
前記予告判定手段により予告を行なう旨の予告実行判定がなされたとき（図２０のＳＦ０５で「ＹＥＳ」と判別されたとき等）に、当該予告実行判定がなされる契機となった前記実行条件成立時コマンドにより特定される判定結果と前記成立数コマンド送信手段により送信された前記成立数コマンドにより特定される成立数とにもとづいて、表示する保留表示画像の表示態様を変化させるパターン（たとえば、「？」→「リ」→「Ｓ」→「当」等に表示態様が変化するパターン）を複数種類の変化パターンの中から選択する保留表示変化パターン選択手段（図２３のＳＩ０６からＳＩ１８等参照）と、
前記複数種類の保留表示画像の表示態様のそれぞれに対応する表示データが記憶された保留表示データ記憶手段（たとえば、図９から図１１のテーブル、図１２，図１３等参照）とを含み、
前記保留表示制御手段は、前記保留表示データ記憶手段に記憶されている表示データのうち、前記保留表示変化パターン選択手段により選択された変化パターンに含まれる保留表示画像の表示態様（図２３のＳＩ１５，ＳＩ１８参照）に対応した表示データを用いて表示制御を行ない（たとえば、図１９のＳＥ１３，ＳＥ１７等参照）、
前記予告として表示される保留表示画像の表示態様は、前記予告として表示された場合に前記特定表示結果が導出表示される可能性の度合いである特定表示結果信頼度が異なる複数種類の表示態様が設けられ、
前記複数種類の変化パターンは、各々、前記予告として表示する保留表示画像の表示態様を、前記特定表示結果信頼度が低い表示態様には変化させず、前記特定表示結果信頼度が高い表示態様に変化させるパターンのみで構成され（図９〜図１１）、
前記予告判定手段は、前記特定遊技状態中において前記実行条件成立時コマンドを受信したときに該実行条件成立時コマンドにもとづく前記予告実行判定を行なわない（図２０）。
【手続補正５】
【補正対象書類名】明細書
【補正対象項目名】０００８
【補正方法】変更
【補正の内容】
【０００８】
上述の構成によれば、遊技制御手段により実行条件成立時に実行条件成立時判定手段による判定を行ない、演出制御手段により予告実行判定や、実行条件成立時判定手段による判定結果と成立数とにもとづいて変化パターンを選択することができるため、予告を行なうための処理を遊技制御手段と演出制御手段とに分担することができ、それぞれの制御負担を軽減させることができる。また、演出制御手段は、保留表示画像の表示態様の表示データを記憶した保留表示データ記憶手段を含み、保留表示態様として保留表示データ記憶手段に記憶された保留表示画像の表示態様の表示データを用いて所定の条件が成立したときに保留表示画像の表示態様を変化パターンにしたがって変化させる制御を行なうことができるため、保留表示画像の表示態様変化に遊技者の関心を集め、興味を持たせることができるとともにさらなる期待感を抱かせることができ予告演出を向上させることができる。また、保留表示画像の表示態様を変化させるパターンが予告を実行する旨の予告実行判定がなされたときに選択されるため、所定の条件が成立したときに変化させる保留表示画像の表示態様を再選択する必要がなく、演出制御手段による処理負担を軽減させることができる。
また、所定の条件が成立する毎に特定表示結果となる可能性の高い表示態様に変化されるため、保留表示画像の表示態様の変化過程に興味を持たせることができる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２４
【補正方法】変更
【補正の内容】
【００２４】
以下に、本発明の実施の形態を図面にもとづいて説明する。なお、以下の実施の形態においては、遊技機の一例としてパチンコ遊技機を示すが、所定の実行条件が成立した後、開始条件の成立にもとづいて各々が識別可能な複数種類の識別情報の可変表示を行ない表示結果を導出表示する可変表示装置と、前記開始条件の成立にもとづいて前記表示結果を特定表示結果とするか否かについてその導出表示以前に決定する事前決定手段を備え、前記開始条件が成立することにより可変表示を開始し、該事前決定手段が表示結果を前記特定表示結果とすることを決定したときに前記可変表示装置に前記特定表示結果を導出表示した後に遊技者に有利な特定遊技状態を発生させる遊技機であればどのような遊技機においても適用することが可能である。